(57)【特許請求の範囲】
【請求項１】
車両のウィンドシールドガラス面に向けてウォッシャ液を噴射する噴射ノズルと、
前記噴射ノズルにウォッシャ液を圧送するウォッシャポンプを駆動するモータと、
電圧を前記モータに供給して前記モータを駆動する駆動部と、
ウォッシャ液の液種を選択する画面が表示され、表示された画面に基づいてウォッシャ液の種別を入力するウォッシャ液タイプ設定部と、
ウォッシャ液の補充が行われた場合に前記ウォッシャ液タイプ設定部に前記画面が表示されるように制御し、前記ウォッシャ液タイプ設定部から入力されたウォッシャ液の種別及び外気温に応じて、前記噴射ノズルから噴射されるウォッシャ液の噴射圧が変化するように前記駆動部を制御する制御部と、
を含む車両用ウォッシャ制御装置。
【請求項２】
前記制御部は、外気温度が高くなるに従って噴射圧が低くなり、かつ同じ外気温度ではウォッシャ液の種別に応じて定まる粘度が低くなるに従って噴射圧が低くなるように前記駆動部を制御する請求項１記載の車両用ウォッシャ制御装置。
【請求項３】
前記制御部は、前記ウォッシャ液が水の場合には、水の凍結温度以下の外気温度での噴射圧を、凍結防止剤を含むウォッシャ液の噴射圧より低下させる請求項１または請求項２記載の車両用ウォッシャ制御装置。
【請求項４】
前記駆動部は、パルス幅変調制御のオン・オフに応じた電圧を前記モータに供給して前記モータを駆動し、
前記制御部は、外気温度が高くなるに従ってオンの時間が短くなり、かつ同じ外気温度ではウォッシャ液の粘度が低くなるに従ってオンの時間が短くなるように前記駆動部をオン・オフ制御する請求項１または請求項２記載の車両用ウォッシャ制御装置。
【請求項５】
前記モータに供給する電圧のパルス幅変調制御のオン・オフの時間をウォッシャ液の種別及び外気温度に応じて予め定めたマップを記憶した記憶部を備え、
前記制御部は前記マップを参照して、前記ウォッシャ液タイプ設定部に入力されたウォッシャ液の種別及び外気温度に応じて前記モータに供給する電圧のパルス幅変調制御のオン・オフの時間を決定し、
前記駆動部は、前記制御部が決定したパルス幅変調制御のオン・オフの時間に応じた電圧を前記モータに供給して前記モータを駆動する請求項１記載の車両用ウォッシャ制御装置。
【請求項６】
前記制御部は、車両の速度が大きくなるに従って前記噴射圧が低くなるように前記駆動部を制御する請求項１〜５のいずれか１項記載の車両用ウォッシャ制御装置。
【発明の詳細な説明】
【技術分野】
【０００１】
本発明は、車両用ウォッシャ制御装置に関する。
【背景技術】
【０００２】
車両のウィンドシールドガラスは、車両用ウォッシャ制御装置の制御によってワイパ装置と協同して制御されるウィンドウォッシャ装置から噴射されるウォッシャ液で洗浄される。ウォッシャ液は、水に界面活性剤等の洗浄成分さらにはウォッシャ液の凍結防止のためのメタノール又はエタノール等のアルコールが添加される場合がある。一般に、界面活性剤又はエタノールの濃度が高いとウォッシャ液の粘度は高くなる。また、外気温度が低くなると、ウォッシャ液の粘度は高くなる傾向がある。ウォッシャ液の粘度が高い場合には、ウォッシャ液を圧送するウォッシャポンプの出力を通常よりも高める必要がある。
【０００３】
特許文献１には、ウォッシャ液の粘度が高くなる低温時には、車両のエンジンの吸気負圧を利用して、ウォッシャ液の噴射圧力を高めるウィンドウォッシャ装置が開示されている。
【先行技術文献】
【特許文献】
【０００４】
【特許文献１】特開２０１３−２０８９９１号公報
【発明の概要】
【発明が解決しようとする課題】
【０００５】
しかしながら、上記特許文献１に記載のウィンドウォッシャ装置は、外気温度に基づいて、ウォッシャ液の噴射時間及び噴射圧を制御するものの、ウォッシャ液の種別によって変化するウォッシャ液の粘度は考慮して居ないという問題点があった。
【０００６】
本発明は上記に鑑みてなされたもので、外気温度及びウォッシャ液の種類に基づいて、ウォッシャ液の噴射圧を制御する車両用ウォッシャ制御装置を提供することを目的とする。
【課題を解決するための手段】
【０００７】
前記課題を解決するために、請求項１記載の車両用ウォッシャ制御装置は、車両のウィンドシールドガラス面に向けてウォッシャ液を噴射する噴射ノズルと、前記噴射ノズルにウォッシャ液を圧送するウォッシャポンプを駆動するモータと、電圧を前記モータに供給して前記モータを駆動する駆動部と、ウォッシャ液の液種を選択する画面が表示され、表示された画面に基づいてウォッシャ液の種別を入力するウォッシャ液タイプ設定部と、ウォッシャ液の補充が行われた場合に前記ウォッシャ液タイプ設定部に前記画面が表示されるように制御し、前記ウォッシャ液タイプ設定部から入力されたウォッシャ液の種別及び外気温に応じて、前記噴射ノズルから噴射されるウォッシャ液の噴射圧が変化するように前記駆動部を制御する制御部と、を含んでいる。
【０００８】
この車両用ウォッシャ制御装置によれば、制御部が、噴射ノズルから噴射するウォッシャ液の種類及び外気温に応じて、前記噴射ノズルから噴射されるウォッシャ液の噴射圧が変化するようにモータに供給する電圧を生成する駆動部を制御することにより、外気温度及びウォッシャ液の種類に基づいて、ウォッシャ液の噴射圧を制御することが可能となる。
【０００９】
請求項２記載の車両用ウォッシャ制御装置は、請求項１記載の車両用ウォッシャ制御装置において、前記制御部は、外気温度が高くなるに従って噴射圧が低くなり、かつ同じ外気温度ではウォッシャ液の種別に応じて定まる粘度が低くなるに従って噴射圧が低くなるように前記駆動部を制御する。
【００１０】
ウォッシャ液は、外気温度が高くなるに従って粘度が低下する。この車両用ウォッシャ制御装置によれば、外気温度が高くなるに従って噴射圧を低下させ、同じ外気温度ではウォッシャ液の粘度が低い場合に噴射圧をさらに低下させる制御をすることができる。
【００１１】
請求項３記載の車両用ウォッシャ制御装置は、請求項１または請求項２記載の車両用ウォッシャ制御装置において、前記制御部は、前記ウォッシャ液が水の場合には、水の凍結温度以下の外気温度での噴射圧を、凍結防止剤を含むウォッシャ液の噴射圧より低下させる。
【００１２】
この車両用ウォッシャ制御装置によれば、ウォッシャ液が水の場合には、外気温度が水の凍結温度以下になった場合には、ウォッシャ装置内でウォッシャ液が凍結するおそれあるので、噴射圧を凍結防止剤が含まれたウォッシャ液の場合よりも抑制する。かかる噴射圧の抑制により、凍結したウォッシャ液を無理に噴射することによるウォッシャ装置への過大な負荷を回避することができる。
【００１３】
請求項４記載の車両用ウォッシャ制御装置は、請求項１または請求項２記載の車両用ウォッシャ制御装置において、前記駆動部は、パルス幅変調制御のオン・オフに応じた電圧を前記モータに供給して前記モータを駆動し、前記制御部は、外気温度が高くなるに従ってオンの時間が短くなり、かつ同じ外気温度ではウォッシャ液の粘度が低くなるに従ってオンの時間が短くなるように前記駆動部をオン・オフ制御する。
【００１４】
この車両用ウォッシャ制御装置によれば、モータへの通電時間を外気温度及びウォッシャ液の粘度に応じて変化させることにより、外気温度及びウォッシャ液の種類に基づいて、ウォッシャ液の噴射圧を制御することが可能となる。
【００１５】
請求項５記載の車両用ウォッシャ制御装置は、請求項１記載の車両用ウォッシャ制御装置において、前記モータに供給する電圧のパルス幅変調制御のオン・オフの時間をウォッシャ液の種別及び外気温度に応じて予め定めたマップを記憶した記憶部を備え、前記制御部は前記マップを参照して、前記ウォッシャ液タイプ設定部に入力されたウォッシャ液の種別及び外気温度に応じて前記モータに供給する電圧のパルス幅変調制御のオン・オフの時間を決定し、前記駆動部は、前記制御部が決定したパルス幅変調制御のオン・オフの時間に応じた電圧を前記モータに供給して前記モータを駆動する。
【００１６】
この車両用ウォッシャ制御装置によれば、ウォッシャ液設定部によりウォッシャ液の種類を入力できる。また、モータに供給する電圧のデューティ比をウォッシャ液の種別及び 外気温度に応じて予め定めたマップを参照して算出することにより、外気温及び ウォッシャ液の種別に基づいて、ウォッシャ液の噴射圧を制御することが可能となる。
【００１７】
請求項６記載の車両用ウォッシャ制御装置は、請求項１〜５のいずれか１項記載の車両用ウォッシャ制御装置において、前記制御部は、車両の速度が大きくなるに従って前記噴射圧が低くなるように前記駆動部を制御する。
【００１８】
この車両用ウォッシャ制御装置によれば、車両の速度で変化する走行風を考慮して、ウォッシャ液の噴射圧を制御することができる。
【図面の簡単な説明】
【００１９】
【図１】本発明の実施の形態に係る車両用ウォッシャ制御装置を含むワイパ装置の構成を示す概略図である。
【図２】本発明の実施の形態に係る車両用ウォッシャ制御装置を含むワイパ装置の回路を模式的に示した回路図である。
【図３】ウォッシャモータのコイルの端子に印加する電圧のデューティ比の外気温度に対する変化の一例を、ウォッシャ液の種別毎に示したグラフである。
【図４】本発明の実施の形態に係る車両用ウォッシャ制御装置におけるウォッシャモータのコイルの端子に印加する電圧のデューティ比算出の処理の一例を示したフローチャートである。
【図５】本発明の実施の形態に係る車両用ウォッシャ制御装置におけるウォッシャ液種別の設定の一例を示したフローチャートである。
【発明を実施するための形態】
【００２０】
図１は、本実施の形態に係る車両用ウォッシャ制御装置を含むワイパ装置１０の構成を示す概略図である。ワイパ装置１０は、例えば、乗用自動車等の車両に備えられたウィンドシールドガラス１２を払拭するためのものであり、一対のワイパ１４，１６と、ワイパモータ１８と、リンク機構２０と、制御回路２２とを備えている。
【００２１】
ワイパ１４，１６は、それぞれワイパアーム２４，２６とワイパブレード２８，３０とにより構成されている。ワイパアーム２４，２６の基端部は、後述するピボット軸４２，４４に各々固定されており、ワイパブレード２８，３０は、ワイパアーム２４，２６の先端部に各々固定されている。
【００２２】
ワイパ１４，１６は、ワイパアーム２４，２６の動作に伴ってワイパブレード２８，３０がウィンドシールドガラス１２上を往復動作し、ワイパブレード２８，３０がウィンドシールドガラス１２を払拭する。
【００２３】
ワイパモータ１８は、主にウォームギアで構成された減速機構５２を介して、正逆回転可能な出力軸３２を有し、リンク機構２０は、クランクアーム３４と、第１リンクロッド３６と、一対のピボットレバー３８，４０と、一対のピボット軸４２，４４と、第２リンクロッド４６とを備えている。
【００２４】
クランクアーム３４の一端側は、出力軸３２に固定されており、クランクアーム３４の他端側は、第１リンクロッド３６の一端側に動作可能に連結されている。また、第１リンクロッド３６の他端側は、ピボットレバー３８のピボット軸４２を有する端とは異なる端寄りの箇所に動作可能に連結されており、ピボットレバー３８のピボット軸４２を有する端とは異なる端及びピボットレバー４０におけるピボットレバー３８の当該端に対応する端には、第２リンクロッド４６の両端がそれぞれ動作可能に連結されている。
【００２５】
また、ピボット軸４２，４４は、車体に設けられた図示しないピボットホルダによって動作可能に支持されており、ピボットレバー３８，４０におけるピボット軸４２，４４を有する端は、ピボット軸４２，４４を介してワイパアーム２４，２６が各々固定されている。
【００２６】
ワイパ装置１０では、出力軸３２が所定の範囲の回転角θ１で正逆回転されると、この出力軸３２の回転力がリンク機構２０を介してワイパアーム２４，２６に伝達され、このワイパアーム２４，２６の往復動作に伴ってワイパブレード２８，３０がウィンドシールドガラス１２上における下反転位置Ｐ２と上反転位置Ｐ１との間で往復動作をする。θ１の値は、ワイパ装置のリンク機構の構成等によって様々な値をとり得るが、本実施の形態では、一例として１４０°とする。
【００２７】
本実施の形態に係るワイパ装置１０では、図１に示されるように、ワイパブレード２８，３０が格納位置Ｐ３に位置された場合には、クランクアーム３４と第１リンクロッド３６とが直線状をなす構成とされている。
【００２８】
格納位置Ｐ３は、下反転位置Ｐ２の下方に設けられている。ワイパブレード２８，３０が下反転位置Ｐ２にある状態から、出力軸３２がθ２回転することにより、ワイパブレード２８，３０は格納位置Ｐ３に動作する。θ２の値は、ワイパ装置のリンク機構の構成等によって様々な値をとり得るが、本実施の形態では、一例として１０°とする。
【００２９】
なお、θ２が「０」の場合は、下反転位置Ｐ２と格納位置Ｐ３は一致し、ワイパブレード２８，３０は、下反転位置Ｐ２で停止し、格納される。
【００３０】
ワイパモータ１８には、ワイパモータ１８の回転を制御するための制御回路２２が接続されている。本実施の形態に係る制御回路２２は、例えば、ワイパモータ１８の出力軸３２の回転速度及び回転角を検知する回転角センサ５４、ワイパモータ１８を作動させるための電流をＰＷＭ制御によって生成してワイパモータ１８に供給する駆動回路５６を有している。
【００３１】
本実施の形態に係るワイパモータ１８は、前述のように減速機構５２を有しているので、出力軸３２の回転速度及び回転角は、ワイパモータ本体の回転速度及び回転角と同一ではない。しかしながら、本実施の形態では、ワイパモータ本体と減速機構５２は一体不可分に構成されているので、以下、出力軸３２の回転速度及び回転角を、ワイパモータ１８の回転速度及び回転角とみなすものとする。
【００３２】
回転角センサ５４は、ワイパモータ１８の減速機構５２内に設けられ、出力軸３２に連動して回転する励磁コイル又はマグネットの磁界（磁力）を電流に変換して検出する。
【００３３】
制御回路２２は、回転角センサ５４が検出した出力軸３２の回転角からワイパブレードのウィンドシールドガラス１２上での位置を算出可能で当該位置に応じて出力軸３２の回転速度が変化するように駆動回路５６を制御するマイクロコンピュータ５８を有する。制御回路２２には、駆動回路５６の制御に用いるデータ及びプログラムを記憶した記憶装置であるメモリ６０が設けられている。メモリ６０は、ワイパブレード２８，３０のウィンドシールドガラス１２上の位置に応じて出力軸３２の回転速度を算出するためのデータ及びプログラムを記憶している。
【００３４】
また、マイクロコンピュータ５８には、ウィンドシールドガラス１２表面の水滴を検知するレインセンサ７６と、車両のエンジン等の制御を統括する車両ＥＣＵ（Electronic Control Unit）９０が接続されている。レインセンサ７６は、例えば、赤外線の発光素子であるＬＥＤ、受光素子であるフォトダイオード、赤外線の光路を形成するレンズ及び制御回路を含んでいる。ＬＥＤから放射された赤外線はウィンドシールドガラス１２で全反射するが、ウィンドシールドガラス１２の表面に水滴が存在すると赤外線の一部が水滴を透過して外部に放出されるため、ウィンドシールドガラス１２での反射量が減少する。その結果、受光素子であるフォトダイオードに入る光量が減少する。かかる光量の減少に基づいて、ウィンドシールドガラス１２表面の水滴を検知する。
【００３５】
車両ＥＣＵ９０には、ワイパスイッチ５０及びウォッシャスイッチ６２が接続されている。また、車両ＥＣＵ９０には、車両の速度を検知する車速センサ９２、外気温度を検知する外気温度センサ９４及びウォッシャ液の商品名、凍結温度等のウォッシャ液の種別を入力するウォッシャ液タイプ設定部９６が接続されている。
【００３６】
ウォッシャ液タイプ設定部９６は、例えば、車両のカーナビゲーション装置等が備えるタッチパネル等の入力装置をウォッシャ液の種別の入力に用いるものである。車両ＥＣＵ９０等の制御により、当該タッチパネル等の入力装置を、ウォッシャ液の種別の入力に適用させる。
【００３７】
ワイパスイッチ５０は、車両のバッテリからワイパモータ１８に供給される電力をオン又はオフするスイッチである。ワイパスイッチ５０は、ワイパブレード２８，３０を、低速で動作させる低速作動モード選択位置、高速で動作させる高速作動モード選択位置、一定周期で間欠的に動作させる間欠作動モード選択位置、レインセンサ７６が雨滴を検知した場合に動作させるＡＵＴＯ（オート）作動モード選択位置、格納（停止）モード選択位置に切替可能である。また、各モードの選択位置に応じた信号を車両ＥＣＵ９０を介してマイクロコンピュータ５８に出力する。
【００３８】
ワイパスイッチ５０から各モードの選択位置に応じて出力された信号が車両ＥＣＵ９０を介してマイクロコンピュータ５８に入力されると、マイクロコンピュータ５８がワイパスイッチ５０からの出力信号に対応する制御をメモリ６０に記憶されたデータ及びプログラムを用いて行う。
【００３９】
ウォッシャスイッチ６２は、車両のバッテリからウォッシャモータ６４及びワイパモータ１８に供給される電力をオン又はオフするスイッチである。ウォッシャスイッチ６２は、例えば、前述のワイパスイッチ５０を備えたレバー等の操作手段に一体に設けられ、当該レバー等を乗員が手元に引く等の操作を継続している間にワイパモータ１８及びウォッシャモータ６４を作動させる。
【００４０】
ウォッシャモータ６４の回転でウォッシャポンプ６６が駆動され、ウォッシャポンプ６６はウォッシャ液タンク６８内のウォッシャ液を運転席側ホース７２Ａ又は助手席側ホース７２Ｂに圧送する。運転席側ホース７２Ａは、ウィンドシールドガラス１２の運転席側の下方に設けられた運転席側ノズル７４Ａに接続されている。また、助手席側ホース７２Ｂは、ウィンドシールドガラス１２の助手席側の下方に設けられた助手席側ノズル７４Ｂに接続されている。
【００４１】
図２は、本実施の形態に係る車両用ウォッシャ制御装置を含むワイパ装置１０の回路を模式的に示した回路図である。図２に示すように、ワイパ装置１０は、ワイパモータ１８を駆動することで、出力軸３２とリンク機構を介して連結されたワイパアーム２４，２６を往復動作させるワイパ駆動回路８８と、ウォッシャモータ６４を駆動させるポンプ駆動回路５７と、ワイパ駆動回路８８及びポンプ駆動回路５７を駆動させる駆動回路５６と、駆動回路５６を制御する制御回路２２と、を含んでいる。本実施の形態に係る車両用ウォッシャ制御装置は、図２に示したマイクロコンピュータ５８、リレー駆動回路及びＦＥＴ駆動回路を含んで構成されている。
【００４２】
ワイパ駆動回路８８は、４個のＦＥＴ８２Ａ〜８２Ｄを含んでいる。ＦＥＴ８２Ａは、ドレインが電源(＋Ｂ)に接続され、ゲートがプリドライバ９８に接続され、ソースがワイパモータ１８の一端部に接続されている。ＦＥＴ８２Ｂは、ドレインが電源(＋Ｂ)に接続され、ゲートがプリドライバ９８に接続され、ソースがワイパモータ１８の他端部に接続されている。ＦＥＴ８２Ｃは、ドレインがワイパモータ１８の一端部に接続され、ゲートがプリドライバ９８に接続され、ソースが接地されている。ＦＥＴ８２Ｄは、ドレインがワイパモータ１８の他端部に接続され、ゲートがプリドライバ９８に接続され、ソースが接地されている。
【００４３】
プリドライバ９８は、ＦＥＴ８２Ａ〜８２Ｄのゲートに供給する制御信号を切り替えることで、ワイパモータ１８の駆動を制御する。すなわち、プリドライバ９８は、ワイパモータ１８の出力軸３２を所定方向に回転させる場合には、ＦＥＴ８２ＡとＦＥＴ８２Ｄの組をオンさせ、ワイパモータ１８の出力軸３２を所定方向と逆方向に回転させる場合には、ＦＥＴ８２ＢとＦＥＴ８２Ｃの組をオンさせる。また、プリドライバ９８は、ワイパモータ１８の出力軸３２の目標回転速度に応じて、所定の制御周期のうちオンさせるＦＥＴ８２の組がオンしている時間の割合(デューティー比)を変化させるパルス幅変調(ＰＷＭ)を行う。上記の制御により、ワイパモータ１８の出力軸３２の回転方向及び回転速度が制御される。
【００４４】
ポンプ駆動回路５７は、２個のリレーRLY1,RLY2を内蔵したリレーユニット８４、２個のＦＥＴ８６Ａ,８６Ｂを含んでいる。リレーユニット８４のリレーRLY1,RLY2のリレーコイルはリレー駆動回路７８に各々接続されている。リレー駆動回路７８はリレーRLY1,RLY2のオンオフ(リレーコイルの励磁／励磁停止)を切り替える。リレーRLY1,RLY2は、リレーコイルが励磁されていない間は、共通端子８４Ｃが第１端子８４Ａと接続している状態(図３に示す状態：オフ状態)を維持し、リレーコイルが励磁されると共通端子８４Ｃを第２端子８４Ｂと接続する状態に切り替わる。リレーRLY1の共通端子８４Ｃはウォッシャモータ６４の一端に接続されており、リレーRLY2の共通端子８４Ｃはウォッシャモータ６４の他端に接続されている。また、リレーRLY1,RLY2の第１端子８４ＡはＦＥＴ８６Ｂのドレインに接続され、リレーRLY1,RLY2の第２端子８４Ｂは電源(＋Ｂ)に接続されている。
【００４５】
ＦＥＴ８６ＢはゲートがＦＥＴ駆動回路８０に接続され、ソースが接地されている。ＦＥＴ８６Ｂのオンオフと、ＦＥＴ８６Ｂのオン時間のデューティ比(所定の制御周期のうちＦＥＴ８６Ｂがオンしている時間の割合)はＦＥＴ駆動回路８０によって制御される。ＦＥＴ８６Ｂのドレインと電源(＋Ｂ)との間にはＦＥＴ８６Ａが設けられている。ＦＥＴ８６Ａは、ゲートに制御信号が入力されないのでオンオフの切り替えは行われず、寄生ダイオードをサージの吸収に用いる目的で設けられている。
【００４６】
リレー駆動回路７８及びＦＥＴ駆動回路８０は、２個のリレーRLY1,RLY2とＦＥＴ８６Ｂとのオンオフを切り替えることで、ウォッシャモータ６４の駆動を制御する。すなわち、ウォッシャモータ６４の出力軸を所定方向に回転させる場合、リレー駆動回路７８はリレーRLY1をオンさせ(リレーRLY2はオフ)、ＦＥＴ駆動回路８０は所定のデューティ比でＦＥＴ８６Ｂをオンさせる。上記の制御により、ウォッシャモータ６４の出力軸の回転速度が制御される。
【００４７】
図３は、ＦＥＴ８６Ｂをオンさせるデューティ比、すなわちウォッシャモータ６４のコイルの端子に印加する電圧のデューティ比の外気温度に対する変化の一例を、ウォッシャ液の種別毎に示したグラフである。図３でデューティ比が最も小さいのは、ウォッシャ液が水のみの場合である。水はエタノールに比べて粘度が低いので、ウォッシャモータ６４を高出力で回転させなくても、ウォッシャ液を噴射させることができる。また、図３において、ウォッシャ液が水のみの場合、外気温度が低下するに従ってデューティ比が高くなるが、温度の低下によって水の粘度が高くなることに対応したものである。しかしながら、外気温度が０度以下になった場合には、デューティ比を５０％以上には上げない。水は０℃で凍結するので、外気温度が０℃以下になった場合には、ウィンドウォッシャ装置内でウォッシャ液が凍結するおそれがある。かかる場合に高出力での噴射を行おうとすると、ウォッシャモータ６４及びウォッシャ液の配管等に過大な負荷がかかるので、デューティ比を一例として５０％程度としている。
【００４８】
ウォッシャ液に凍結防止剤であるエタノールを２５％添加した場合、ウォッシャ液の粘度は、エタノールを添加していない場合よりも高くなるので、デューティ比はエタノールが添加されていない場合よりも高くなる。なお、凍結防止剤は、エタノール以外にもメタノール等のアルコール類が使用できる。
【００４９】
ウォッシャ液にエタノールを５５％添加した場合、ウォッシャ液の粘度は、エタノールを２５％添加した場合よりもさらに高くなるので、デューティ比はエタノールが２５％添加された場合よりも高くなる。
【００５０】
エタノールを２５％添加した場合、及びエタノールを５０％添加した場合のいずれの場合も、外気温度が−５℃までは、外気温度が低下するに従ってデューティ比が高くなる。外気温度が−５℃以下では、ウォッシャ液の粘度がかなり高くなるので、デューティ比を例えば１００％として、高出力噴射を行う。
【００５１】
本実施の形態では、図３に示したようなマップを参照して、ウォッシャモータ６４のコイルの端子に印加する電圧のデューティ比を算出し、算出したデューティ比の電圧を生成してウォッシャモータ６４のコイルの端子に印加する。デューティ比の算出に用いるマップは、ウォッシャ液の商品名と外気温度とに応じてデューティ比を定めたものでもよいし、ウォッシャ液の凍結温度及び外気温度とに応じてデューティ比を定めたものでもよい。さらには、特定のウォッシャ液について、当該ウォッシャ液の希釈率と外気温度とに応じてデューティ比を定めたものでもよい。また、マップは、メモリ６０等の記憶装置に予め記憶させる。
【００５２】
図４は、本実施の形態に係る車両用ウォッシャ制御装置におけるウォッシャモータ６４のコイルの端子に印加する電圧のデューティ比算出の処理の一例を示したフローチャートである。ステップ３００では、外気温度センサ９４が検知した外気温度のデータを取得する。
【００５３】
ステップ３０２では、ウォッシャ液タンク６８内のウォッシャ液の種別に対応したマップを選択する。ステップ３０４では、選択したマップを参照して、外気温度及びウォッシャ液の種別に応じたデューティ比を算出して処理を終了する。
【００５４】
ウォッシャ液タンク６８内に、ウォッシャ液の粘度を検知するセンサが設けられているのであれば、ウォッシャ液の粘度の変化に対応したデューティ比のマップを予め定めておいてもよい。ウォッシャスイッチ６２がオンになった場合に、当該マップを参照して、ウォッシャ液タンク６８内のセンサが検知した粘度に応じたデューティ比を算出することができる。粘度を検知するセンサは、例えば、ウォッシャ液に所定の周波数の音波を通した場合の音響インピーダンスによってウォッシャ液の粘度を検知する。
【００５５】
また、本実施の形態では、車速センサ９２が検知した車両の速度が大きくなるに従ってウォッシャ液の噴射圧を低下させるようにしてもよい。噴射圧を低下させるには、マップを参照して算出したデューティ比を、速度に応じてさらに低下させる。
【００５６】
本実施の形態では、ウォッシャ液タンク６８内にウォッシャ液の粘度を検知するセンサを設けない場合には、ウォッシャ液タイプ設定部９６から、ウォッシャ液の製造元、販売元、該ウォッシャ液の商品名、及び該ウォッシャ液の凍結温度を含む情報を入力することにより、ウォッシャ液の種別を設定する。
【００５７】
図５は、本実施の形態に係る車両用ウォッシャ制御装置におけるウォッシャ液種別の設定の一例を示したフローチャートである。本実施の形態に係る車両用ウォッシャ制御装置は、ウォッシャ液タンク６８内に設けられ、ウォッシャ液タンク６８内の液面を検知するレベルセンサ（図示せず）が検知した液面の高さが増大した場合に、ウォッシャ液の補充が行われたか否かを問う画面をウォッシャ液タイプ設定部９６に表示する。ステップ４００では、ウォッシャ液の補充が行われたか否についてユーザが肯定した場合には、ステップ４０２で、ウォッシャ液タイプ設定部９６にウォッシャ液の液種を選択する画面を表示する。画面には選択対象である液種の項目が複数表示される。表示される項目は、例えば、「水」、「（市販の）ウォッシャ液」、「不明」等である。
【００５８】
ステップ４０４では、上記の項目から「水」又は「不明」が選択されたか否かを判定し、肯定判定の場合には、ウォッシャ液タンク６８内のウォッシャ液は水であるとみなして設定処理を終了する。不明の場合も水とみなすのは、図３に示したようにエタノール等の凍結防止剤を添加した場合よりもデューティ比を低くすることにより、ウォッシャ液の凍結のおそれがある場合に、ウィンドウォッシャ装置の負荷が過大になることを避けるためである。
【００５９】
ステップ４０４で否定判定の場合には、ステップ４０６で、ウォッシャ液の製造元、販売元、商品名を選択する画面をウォッシャ液タイプ設定部９６に表示する。ウォッシャ液の製造元、販売元及び商品名は、ネットワークを介して取得してもよく、ステップ４０６では、例えば、製造元、販売元を表示した後、絞り込み検索で該当する商品名を選択できるようにしてもよい。
【００６０】
ステップ４０８で具体的に商品名が選択された場合（否定判定の場合）には設定処理を終了してもよいし、商品名が特定されたウォッシャ液の希釈率をさらに入力してから設定処理を終了してもよい。ステップ４０８でウォッシャ液の商品名が不明な場合（肯定判定の場合）には、ステップ４１０でウォッシャ液の凍結温度を選択する画面をウォッシャ液タイプ設定部９６に表示する。ステップ４１０で表示される項目は、例えば、「−２５℃以下」、「−２５〜−１０℃」、「−１０〜０℃」、「不明」である。「不明」が選択された場合には、ウォッシャ液タンク６８内には水が補充されたとみなす。
【００６１】
ステップ４１２では、ステップ４１０で表示された項目のいずれかが選択されたか否かを判定し、肯定判定の場合には設定処理を終了する。
【００６２】
以上説明したように、本実施の形態に係る車両用ウォッシャ制御装置によれば、設定されたウォッシャ液及び外気温度に対応するデューティ比をマップを参照して算出することにより、外気温度及びウォッシャ液の種別に基づいて、ウォッシャ液の噴射圧を制御することができる。
【符号の説明】
【００６３】
１０…ワイパ装置、１２…ウィンドシールドガラス、１４，１６…ワイパ、１８…ワイパモータ、２０…リンク機構、２２…制御回路、２４，２６…ワイパアーム、２８，３０…ワイパブレード、３２…出力軸、３４…クランクアーム、３６…リンクロッド、３８、４０…ピボットレバー、４２，４４…ピボット軸、４６…リンクロッド、５０…ワイパスイッチ、５２…減速機構、５４…回転角センサ、５６…駆動回路、５７…ポンプ駆動回路、５８…マイクロコンピュータ、６０…メモリ、６２…ウォッシャスイッチ、６４…ウォッシャモータ、６６…ウォッシャポンプ、６８…ウォッシャ液タンク、７２Ａ…運転席側ホース、７２Ｂ…助手席側ホース、７４Ａ…運転席側ノズル、７４Ｂ…助手席側ノズル、７６…レインセンサ、７８…リレー駆動回路、８０…ＦＥＴ駆動回路、８４…リレーユニット、８４Ａ…第１端子、８４Ｂ…第２端子、８４Ｃ…共通端子、８８…ワイパ駆動回路、９０…車両ＥＣＵ、９２…車速センサ、９４…外気温度センサ、９６…ウォッシャ液タイプ設定部、９８…プリドライバ、RLY1，RLY2…リレー、Ｐ１…上反転位置、Ｐ２…下反転位置、Ｐ３…格納位置
【図１】
0006492819.tif 000002
【図２】
0006492819.tif 000003
【図３】
0006492819.tif 000004
【図４】
0006492819.tif 000005
【図５】
0006492819.tif 000006